(57)【要約】【課題】着用時に別個の肌着の着用を不要にすることができ、着脱が容易であり、着用時の違和感がなく、さらに着崩れがないドレスシャツ又はカジュアルシャツの提供。【解決手段】後身頃３、該後身頃３の左右に開閉可能に連設される右前身頃２及び左前身頃２’、首周りに設けられる衿部４、該衿部４と該後身頃３との間に設けられる肩ヨーク５、並びに該肩ヨーク５の左右の肩口に取付けられる長袖部又は半袖部６から構成される、前合わせ部７Ａ、７’Ａをもつドレスシャツ又はカジュアルシャツ１において、少なくとも、該右前身頃２及び左前身頃２’、該後身頃３、並びに該肩ヨーク５を構成する生地として、二重組織のダブルガーゼ生地を用い、着衣者の肌に接する面に、該ダブルガーゼ生地の裏側であるガーゼを配置すること特徴とする前記ドレスシャツ又はカジュアルシャツ。【選択図】図１
0003189707.tif 000002
【実用新案登録請求の範囲】
【請求項１】
後身頃３、該後身頃３の左右に開閉可能に連設される右前身頃２及び左前身頃２’、首周りに設けられる衿部４、該衿部４と該後身頃３との間に設けられる肩ヨーク５、並びに該肩ヨーク５の左右の肩口に取付けられる長袖部又は半袖部６から構成される、前合わせ部７Ａ、７’Ａをもつドレスシャツ又はカジュアルシャツ１において、少なくとも、該右前身頃２及び左前身頃２’、該後身頃３、並びに該肩ヨーク５を構成する生地として、二重組織のダブルガーゼ生地を用い、着衣者の肌に接する面に、該ダブルガーゼ生地の裏側であるガーゼを配置すること特徴とする前記ドレスシャツ又はカジュアルシャツ。
【請求項２】
前記衿部４、及び前記長袖部又は半袖部６に、前記ダブルガーゼ生地に代えて、該ダブルガーゼ生地の表地と同一色柄の生地（一重組織）を使用する、請求項１に記載のドレスシャツ又はカジュアルシャツ。
【考案の詳細な説明】
【技術分野】
【０００１】
本考案は、ダブルガーゼ生地を用いたドレスシャツ又はカジュアルシャツ（以下、単にシャツともいう。）に関する。より詳しくは、本考案は、着用者の肌に直接触れる部分の特定箇所にダブルガーゼ生地を用いることを特徴とする、肌着の着用を不要とし、着脱が容易であり、着用時の違和感がなく、さらに着崩れがない、前合わせ部をもつドレスシャツ又はカジュアルシャツに関する。
【背景技術】
【０００２】
以下の特許文献１には、ウェア本体とウェア本体の内側に配置されたインナーとを備えている上半身用衣服が開示されている。かかる上半身用衣服においては、インナーとウェア本体の肩部同士、及び襟ぐり同士を縫着することで両者が体化されている。かかる上半身用衣服は、運動にあてる時間が捻出できないサラリーマンやＯＬが着用することにより、インナーのインナー本体の素材生地に設けられたメッシュ生地よりなる低伸縮の負荷片により、短時間での運動機能を高めることを目的として提案されたものである。インナーは、伸縮性生地からなるインナー本体、低伸縮かつ高弾力のメッシュ生地からなる負荷部とを備えている。第１負荷片は、アンダーバスト部分の高さを左右に横断する横長の基部と、基部の長手方向中央部から上方に連出され、着用者の乳房部の間に圧接する縦長の連出部とからなる。また、第２負荷片は、前身頃の左右の袖ぐりに沿って配置されている。かかる構成により、負荷片により短時間での運動機能を高揚し、また、着用時のシルエットを自然にすることができる効果が謳われている。
【０００３】
しかしながら、かかる上半身用衣服は、Ｔシャツやスウェットシャツであり、前開きのシャツではない。
また、引用文献１に示された上半身用衣服のウェア本体とインナーとの縫着構造では、そのまま外着として着用しても、その着心地に違和感があるため着心地が悪い。また、インナーは装着者の体に密着してフィット性が発揮されると記載されているが、肌着として着用するのには、着心地が悪くフィット性も充分ではない。
【０００４】
また、以下の特許文献２には、後身頃３、前記後身頃３の左右に開閉可能に連設される左前身頃２および右前身頃２′、首周りに設けられる衿部４、前記衿部４と前記後身頃３との間に設けられる肩ヨーク５、前記肩ヨーク５の左右の肩口に取付けられる長袖６、６又は半袖を有するシャツ本体１と、前記シャツ本体１の裏面を覆うメッシュ材７とにより構成されるドレスシャツ又はＹシャツが開示されている。かかるドレスシャツ又はＹシャツにおいては、シャツ本体とそのシャツ本体の裏面に縫着されるメッシュ材との縫着に工夫を凝らすことにより、着用時に違和感がなく着心地が良く着用が行え、また、フィット性に優れ、さらに、メッシュ材は、吸湿性、速乾性、保温性に優れ、肌着として最適であり、着用時又は洗濯時に形崩れがなく、保形性に優れるため、構造的にも堅牢なシャツを提供することができると記載されている。
【０００５】
しかしながら、特許文献２に記載されたドレスシャツ又はＹシャツは、シャツ本体の裏側に、シャツ本体の縫着部の略全部において、メッシュ材を縫着したものであるため、シャツ本体の前合わせ部の開閉に伴い、当然にメッシュ材も開閉されこととなるが、シャツ本体を構成する生地とその裏側に縫着されたメッシュ材とが縫着部以外では分離状態にあるため、着用時に多少の違和感があり、シャツ全体の厚みも大きくなり、また、メッシュ材や縫着するためのコストがかかり、原価低減が難しいという問題がある。
【先行技術文献】
【特許文献】
【０００６】
【特許文献１】実用新案登録第３１４３２１１号公報
【特許文献２】実用新案登録第３１６０１８１号公報
【考案の概要】
【考案が解決しようとする課題】
【０００７】
前記した従来技術に鑑み、本考案が解決しようとする課題は、着用時に別個の肌着の着用が不要であり、着脱が容易であり、着用時の違和感がなく、さらに着崩れがないドレスシャツ又はカジュアルシャツを提供することである。
【課題を解決するための手段】
【０００８】
本考案者らは、前記課題を解決すべく鋭意検討し実験を重ねた結果、前合わせ部をもつドレスシャツ本体の着用者の肌に直接触れる部分の特定箇所にダブルガーゼ生地を用いることにより、前記課題を解決しうることを見出し、本考案を完成するに至った。
すなわち、本考案を以下のとおりのものである。
【０００９】
［１］後身頃３、該後身頃３の左右に開閉可能に連設される右前身頃２及び左前身頃２’、首周りに設けられる衿部４、該衿部４と該後身頃３との間に設けられる肩ヨーク５、並びに該肩ヨーク５の左右の肩口に取付けられる長袖部又は半袖部６から構成される、前合わせ部７Ａ、７’Ａをもつドレスシャツ又はカジュアルシャツ１において、少なくとも、該右前身頃２及び左前身頃２’、該後身頃３、並びに該肩ヨーク５を構成する生地として、二重組織のダブルガーゼ生地を用い、着衣者の肌に接する面に、該ダブルガーゼ生地の裏側であるガーゼを配置すること特徴とする前記ドレスシャツ又はカジュアルシャツ。
【００１０】
［２］前記衿部４、及び前記長袖部又は半袖部６に、前記ダブルガーゼ生地に代えて、該ダブルガーゼ生地の表地と同一色柄の生地（一重組織）を使用する、前記［１］に記載のドレスシャツ又はカジュアルシャツ。
【考案の効果】
【００１１】
本考案に係るドレスシャツ又はカジュアルシャツは、少なくとも、左右前身頃、後身頃、及び肩ヨークを構成する生地として、二重組織のダブルガーゼ生地を用い、着衣者の肌に接する面に、該ダブルガーゼ生地の裏側であるガーゼが配置されているので、肌着の着用を不要とし、着用時の着心地に違和感がなく、またフィット性にも優れる。さらに、シャツの着用時又は洗濯時に、シャツ本体は、形崩れがなく、保形性に優れ、構造的にも堅牢である。
【図面の簡単な説明】
【００１２】
【図１】本考案に係るドレスシャツ又はカジュアルシャツの表側の正面と後面を示す図である。
【図２】本考案に使用するダブルガーゼ生地（二重組織）の一例（平織）の組織図である。
【図３】図２の組織図を広く見た図である。表地と裏地の接結点（裏地の経糸が表地の緯糸に引かかっている箇所）を斜線で示す。
【図４】ダブルガーゼ生地における表地と裏地（ガーゼ）の接結点を示す写真である。
【考案を実施するための形態】
【００１３】
以下、図面を参照して、本考案を詳細に説明する。
図１に示すように、本発明に係るドレスシャツ又はカジュアルシャツは、全体が首から胸、下腹部に到る着丈を有し、右前身頃２及び左前身頃２’におけるそれぞれの前合わせ部７Ａ、７’Ａが釦８Ａと釦孔８Ｂ（図示せず）により係脱可能に開閉されるドレスシャツ、カジュアルシャツ、Ｙシャツ、それに類するシャツである。かかるシャツは、材質は問わないが、例えば、ポリエステル、ポリエチレンのような合成樹脂繊維糸若しくは綿糸又は合成樹脂繊維糸と綿糸との混合糸により形成される織物、例えば、綿６０％ポリエステル４０％織物であってよい。但し、本考案においては、前記したように、後身頃３、該後身頃３の左右に開閉可能に連設される右前身頃２及び左前身頃２’、首周りに設けられる衿部４、該衿部４と該後身頃３との間に設けられる肩ヨーク５、並びに該肩ヨーク５の左右の肩口に取付けられる長袖部又は半袖部６から構成される、前合わせ部７Ａ、７’Ａをもつシャツ１において、少なくとも、該右前身頃２及び左前身頃２’、該後身頃３、並びに該肩ヨーク５を構成する生地として、二重組織のダブルガーゼ生地を用い、着衣者の肌に接する面に、該ダブルガーゼ生地の裏側であるガーゼを配置すること特徴とする。すなわち、図１においては、○で囲んだ、２、２’、３、及び５は、ダブルガーゼ生地で形成され、着衣者の肌に接する側は、該ダブルガーゼ生地の裏地であるガーゼとなる。
【００１４】
本考案においては、前記衿部４、及び前記長袖部又は半袖部６に、前記ダブルガーゼ生地に代えて、該ダブルガーゼ生地の表地と同一色柄の表生地（一重組織）を使用することが好ましい。これにより、ダブルガーゼ生地の表地に色柄がある場合に、シャツを表から見たとき、ダブルガーゼ生地（二重組織）を用いた右前身頃２及び左前身頃２’、後身頃３、並びに肩ヨーク５と、該ダブルガーゼ生地の表地と同一色柄の生地（一重組織）とが、文字通り同一色柄となるため、右前身頃２及び左前身頃２’、後身頃３並びに肩ヨーク５と、前記衿部４及び前記長袖部又は半袖部６とが、異なる生地で構成されていることが判別不能となる。すなわち、肌着の着用が不要であるシャツを着用していることを外観から悟られることがない。
【００１５】
本考案明細書中、「ダブルガーゼ生地」とは、経、緯のいずれか１方、あるいは経緯の両方に、片面とは別の組織を加えた組織である二重組織の織物であって、裏地がガーゼであるものを広く意味し、表地はシャツに通常使用される生地であることができその素材等は特に限定されない。「ダブルガーゼ生地」の一例の組織図を図２に示す。図２では、表の生地（表地）と裏の生地（裏地）が共に平織であるが、本考案においては、これに限定されず、斜文織、朱子織、あるいはこれらの三原組織を変化・組み合わせた変化組織等であることができる。また、表地に捺染することもできる。
【００１６】
図３に、図２の組織図を、より広く見た組織図を示す。表地と裏地との止め（接結点）を斜線で示す（丸４の中央付近参照）。かかる接結点では、裏地の経糸が表地の緯糸に引っかかっており、かかる接結点が一定間隔で規則的に整列することにより、表地と裏地（ガーゼ）は、連結されており、衣服の生地として使用した場合、通常の使用条件では、両者は分離せず、一体のものとして存在する。
図４に、接結点の写真を示す。左手の表地（ストライプ）と右手の裏地（ガーゼ）とが、裏地の経糸が表地の緯糸に引っかかることにより連結されていることが分かる。
【００１７】
本考案においては、少なくとも、右前身頃２及び左前身頃２’、後身頃３、並びに肩ヨーク５を構成する生地として、二重組織のダブルガーゼ生地を用いることにより、着衣者の肌に接する面に、該ダブルガーゼ生地の裏側であるガーゼを配置することができる。すなわち、本考案に使用するダブルガーゼ生地は二重組織であるので、表地と裏地が異なった色柄とすることができ、裏地を、一般的に使用される肌着に近い生地とすることによって、肌着を着用しなくとも、着用した場合と同等の着心地を得ることができることとなる。他方、ダブルガーゼ生地の表地は、ファッション性を考慮して、様々な色柄、例えば、ストライプとすることができる。さらに、本考案においては、衿部４、及び長袖部又は半袖部６に、ダブルガーゼ生地に代えて、該ダブルガーゼ生地の表地と同一色柄の生地（一重組織）を使用すれば、その一部に該ダブルガーゼ生地を用いたシャツを着ていることは、外観から判別することができない。
【００１８】
本考案に使用するダブルガーゼ生地の裏地としては、着用時の着心地に違和感がなく、フィット性に優れ、汗をかいた場合に吸水性、速乾性に優れ、夏期においても肌着としてムレやベタつきがなく爽快であり、保温性も良好であるもの、例えば、薄い綿のガーゼであることが好ましい。
本考案においては、かかる裏地は、表地に規則性をもって接結点により一体化されているので、シャツが構造堅牢な仕上がりになり、シャツ本体内において裏地が不用意に遊離して大きな移動量により移動されることはなく、着用時又は洗濯時にもシャツ本体の形崩れがなく、保形性も維持される。すなわち、本考案に係るシャツは、ダブルガーゼ生地を用いていない通常のシャツと同様に取り扱うことができる。
【産業上の利用可能性】
【００１９】
本考案に係るドレスシャツ又はカジュアルシャツは、少なくとも、左右前身頃、後身頃、及び肩ヨークを構成する生地として、二重組織のダブルガーゼ生地を用い、着衣者の肌に接する面に、該ダブルガーゼ生地の裏側であるガーゼが配置されているので、肌着の着用を不要とし、着用時の着心地に違和感がなく、またフィット性にも優れる。さらに、シャツの着用時又は洗濯時に、シャツ本体は、形崩れがなく、保形性に優れ、構造的にも堅牢である。
【符号の説明】
【００２０】
１    本発明に係るドレスシャツ又はカジュアルシャツ
２    右前身頃
２Ａ    右前身頃の左端
２Ｂ    右前身頃の右端
２’    左前身頃
２’Ａ    左前身頃の左端
２’Ｂ    左前身頃の右端
３    後身頃
３Ａ    後身頃の右端
３Ｂ    後身頃の左端
３Ｃ    後身頃の上端部
４    衿部
５    肩ヨーク
５ａ    肩ヨークの前縁部
５ｂ    肩ヨークの後縁部
６    長袖部又は半袖部
７Ａ    シャツ本体の前部合わせ部
７’Ａ    シャツ本体の前部合わせ部
８Ａ    釦
８Ｂ    釦孔
９    係止目具
１０    右前身頃２又は左前身頃２’の肩部
１１    袖ぐり
【図１】
0003189707.tif 000003
【図２】
0003189707.tif 000004
【図３】
0003189707.tif 000005
【図４】
0003189707.tif 000006